【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
画素アレイに使用するための列信号を生成する方法であって、
２つ以上の制御可能バスバッファを直列に接続して前記２つ以上の制御可能バスバッファの直列接続されたストリングを形成することと、前記２つ以上の制御可能バスバッファのそれぞれの出力が付随ノードを駆動することと、
各ノードを関連する制御可能ローカル出力バッファの入力に電気的に結合することと、
前記２つ以上の制御可能バスバッファの直列接続されたストリングの入力に列データ信号を提供することと、
各ノードが順次時間的に駆動されるように、前記２つ以上の制御可能バスバッファの直列接続されたストリングにおいて各制御可能バスバッファを順次有効化することと、
を含む方法。
【請求項２】
請求項１に記載の方法において、
前記順次有効化のために、前記列信号を受信する前記制御可能バスバッファが最初に有効化される、方法。
【請求項３】
請求項１に記載の方法において、
前記順次有効化のために、後続の制御可能バスバッファが最初に有効化されるとき、有効化された各制御可能バスバッファは有効化されたままとされる、方法。
【請求項４】
請求項１に記載の方法において、
前記順次有効化のために、前記列信号を受信する前記制御可能バスバッファが最後に有効化される、方法。
【請求項５】
請求項１に記載の方法において、
前記制御可能ローカル出力バッファのそれぞれを、前記制御可能バスバッファの前記順次有効化に関連付けた順番で順次有効化することを更に含む、方法。
【請求項６】
請求項１に記載の方法において、
前記制御可能バスバッファのうちの有効化されていない制御可能バスバッファのそれぞれを無効化することと、前記制御可能ローカル出力バッファのうちの有効化されていない制御可能ローカル出力バッファのそれぞれを無効化することとを更に含む、方法。
【請求項７】
請求項１に記載の方法において、
有効化されていない制御可能バスバッファはハイインピーダンス状態を出力する、方法。
【請求項８】
請求項１に記載の方法において、
有効化されていない制御可能バスバッファは固定論理の状態を出力する、方法。
【請求項９】
請求項１に記載の方法において、
各制御可能バスバッファおよび各ローカル出力バッファの前記順次有効化を、前記画素アレイに関連付けた走査パターンと対応づけることを更に含む、方法。
【請求項１０】
画素アレイ用の列ドライブであって、
２つ以上の制御可能バスバッファを直列に接続して前記２つ以上の制御可能バスバッファの直列接続されたストリングを形成した制御可能バスバッファであって、各制御可能バスバッファは付随ノードを駆動する出力を有する制御可能バスバッファと、
２つ以上の制御可能ローカル出力バッファであって、各制御可能ローカル出力バッファは、前記付随ノードの１つに電気的に結合された入力を有し、かつ前記画素アレイの１つ以上の列を駆動する出力を有する制御可能ローカル出力バッファと、
前記２つ以上の制御可能バスバッファの直列接続されたストリングの１つ以上のバス有効化入力を駆動し、かつ前記２つ以上の制御可能ローカル出力バッファの１つ以上のローカル出力有効化入力を駆動する、有効化コントローラと、
を備え、
前記有効化コントローラは、各ノードがバスシーケンスに従って駆動されるように、前記２つ以上の制御可能バスバッファの直列接続されたストリングにおいて各制御可能バスバッファを順次有効化する、
列ドライバ。
【請求項１１】
請求項１０に記載の列ドライバにおいて、
前記有効化コントローラは、後続の制御可能バスバッファが有効化されるときに各制御可能バスバッファが有効化された状態を維持するよう構成されている、列ドライバ。
【請求項１２】
請求項１０に記載の列ドライバにおいて、
前記有効化コントローラはステートマシンである、列ドライバ。
【請求項１３】
請求項１０に記載の列ドライバにおいて、
前記有効化コントローラはコード駆動プロセッサである、列ドライバ。
【請求項１４】
請求項１０に記載の列ドライバにおいて、
各制御可能ローカル出力バッファは、有効化されていないときにはハイインピーダンス状態を出力する、列ドライバ。
【請求項１５】
請求項１０に記載の列ドライバにおいて、
各制御可能ローカル出力バッファは、有効化されていないときには固定論理の状態を出力する、列ドライバ。
【請求項１６】
請求項１０に記載の列ドライバにおいて、
前記画素アレイの前記１つ以上の列は１つ以上のＤＡＣを含み、前記制御可能ローカル出力バッファは少なくとも１つのＤＡＣを駆動する、列ドライバ。
【請求項１７】
請求項１０に記載の列ドライバにおいて、
前記有効化コントローラは、前記画素アレイの前記１つ以上の列のそれぞれがローカル出力シーケンスに従って駆動されるように、各制御可能ローカル出力バッファを順次有効化する、列ドライバ。
【請求項１８】
請求項１７に記載の列ドライバにおいて、
前記バスシーケンスは前記ローカル出力シーケンスに関係する、列ドライバ。
【請求項１９】
請求項１０に記載の列ドライバにおいて、
前記２つ以上の制御可能バスバッファは、列データ信号を受信する入力を有する第１の制御可能バスバッファを含む、列ドライバ。
【手続補正２】
【補正対象書類名】明細書
【補正対象項目名】００４７
【補正方法】変更
【補正の内容】
【００４７】
本発明をその例示的な実施形態を参照して詳細に説明してきたが、添付の請求の範囲に包含される本発明の範囲を逸脱することなく、様々な形および詳細の変更がなされ得ることが当業者によって理解されるであろう。
なお、本発明は、実施の態様として、以下の内容を含む。
［態様１］
画素アレイに使用するための列信号を生成する方法であって、
２つ以上の制御可能バスバッファを直列に接続することと、前記２つ以上の制御可能バスバッファのそれぞれの出力が付随ノードを駆動することと、
前記２つ以上の制御可能バスバッファの直列接続されたストリングの入力に列データ信号を提供することと、
各ノードが順次時間的に駆動されるように、前記２つ以上の制御可能バスバッファの直列接続されたストリングにおいて各制御可能バスバッファを順次有効化することと、
を含む方法。
［態様２］
態様１に記載の方法において、
前記順次有効化のために、前記列信号を受信する前記制御可能バスバッファが最初に有効化される、方法。
［態様３］
態様１に記載の方法において、
前記順次有効化のために、後続の制御可能バスバッファが最初に有効化されるとき、有効化された各制御可能バスバッファは有効化されたままとされる、方法。
［態様４］
態様１に記載の方法において、
前記順次有効化のために、前記列信号を受信する前記制御可能バスバッファが最後に有効化される、方法。
［態様５］
態様１に記載の方法において、
各ノードは付随する制御可能ローカル出力バッファの入力に電気的に結合されている、方法。
［態様６］
態様５に記載の方法において、
前記制御可能ローカル出力バッファのそれぞれを、前記制御可能バスバッファの前記順次有効化に関連付けた順番で順次有効化することを更に含む、方法。
［態様７］
態様５に記載の方法において、
前記制御可能バスバッファのうちの有効化されていない制御可能バスバッファのそれぞれを無効化することと、前記制御可能ローカル出力バッファのうちの有効化されていない制御可能ローカル出力バッファのそれぞれを無効化することとを更に含む、方法。
［態様８］
態様１に記載の方法において、
有効化されていない制御可能バスバッファはハイインピーダンス状態を出力する、方法。
［態様９］
態様１に記載の方法において、
有効化されていない制御可能バスバッファは固定論理の状態を出力する、方法。
［態様１０］
態様１に記載の方法において、
各制御可能バスバッファおよび各ローカル出力バッファの前記順次有効化を、前記画素アレイに関連付けた走査パターンと対応づけることを更に含む、方法。
［態様１１］
画素アレイ用の列ドライブであって、
直列に接続された２つ以上の制御可能バスバッファであって、各制御可能バスバッファは付随ノードを駆動する出力を有する制御可能バスバッファと、
２つ以上の制御可能ローカル出力バッファであって、各制御可能ローカル出力バッファは、前記付随ノードの１つに電気的に結合された入力を有し、かつ前記画素アレイの１つ以上の列を駆動する出力を有する制御可能ローカル出力バッファと、
前記２つ以上の制御可能バスバッファの１つ以上のバス有効化入力を駆動し、かつ前記２つ以上の制御可能ローカル出力バッファの１つ以上のローカル出力有効化入力を駆動する、有効化コントローラと、
を備え、
前記有効化コントローラは、各ノードがバスシーケンスに従って駆動されるように、前記２つ以上の制御可能バスバッファの直列接続されたストリングにおいて各制御可能バスバッファを順次有効化する、
列ドライバ。
［態様１２］
態様１１に記載の列ドライバにおいて、
前記コントローラは、後続の制御可能バスバッファが有効化されるときに各制御可能バスバッファが有効化された状態を維持するよう構成されている、列ドライバ。
［態様１３］
態様１１に記載の列ドライバにおいて、
前記有効化コントローラはステートマシンである、列ドライバ。
［態様１４］
態様１１に記載の列ドライバにおいて、
前記有効化コントローラはコード駆動プロセッサである、列ドライバ。
［態様１５］
態様１１に記載の列ドライバにおいて、
各ローカル出力バッファは、有効化されていないときにはハイインピーダンス状態を出力する、列ドライバ。
［態様１６］
態様１１に記載の列ドライバにおいて、
各ローカル出力バッファは、有効化されていないときには固定論理の状態を出力する、列ドライバ。
［態様１７］
態様１１に記載の列ドライバにおいて、
前記画素アレイの前記１つ以上の列は１つ以上のＤＡＣを含み、前記ローカル出力バッファは少なくとも１つのＤＡＣを駆動する、列ドライバ。
［態様１８］
態様１１に記載の列ドライバにおいて、
前記有効化コントローラは、前記画素アレイの前記１つ以上の列のそれぞれがローカル出力シーケンスに従って駆動されるように、各制御可能ローカル出力バッファを順次有効化する、列ドライバ。
［態様１９］
態様１８に記載の列ドライバにおいて、
前記バスシーケンスは前記ローカル出力シーケンスに関係する、列ドライバ。
［態様２０］
態様１１に記載の列ドライバにおいて、
前記２つ以上の制御可能バスバッファは、列データ信号を受信する入力を有する第１の制御可能バスバッファを含む、列ドライバ。